【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
波長変換平均出力の制御方法であって、前記制御方法は、
１個以上のシードパルスを生成することと；
前記シードパルスを光増幅器によって増幅することによって、１個以上の増幅パルスを生成することと；
前記増幅パルスを波長変換することによって、１個以上の波長変換パルスを生成することと；
１個以上の波長変換パルスの波長変換平均出力を決定することと；
前記増幅パルスのパルス周期と比較可能な時間スケールとしての周期スケールにわたって前記増幅パルスの平均出力を調整することなく、前記周期スケールにわたって波長変換平均出力を制御することと
を含む、制御方法。
【請求項２】
前記パルス周期は、約１ミリ秒未満である、
請求項１記載の制御方法。
【請求項３】
前記シードパルスの増幅は、前記光増幅器にポンピングエネルギを供給することを含み、
前記周期スケールにわたって前記光増幅器に供給される平均ポンプ出力は、一定である、
請求項１記載の制御方法。
【請求項４】
波長変換平均出力の制御は、
前記増幅パルスのピーク出力の調整と、
前記増幅パルスの偏光とのうちの少なくとも一方を含む、
請求項１記載の制御方法。
【請求項５】
前記増幅パルスのピーク出力の調整は、
前記シードパルスの負荷サイクルの調整と、
前記シードパルスのパルス繰返周波数の調整とのうちの少なくとも一方を含む、
請求項４記載の制御方法。
【請求項６】
前記制御方法は更に、前記シードパルスの一定の平均出力を維持することを含む、
請求項５記載の制御方法。
【請求項７】
前記増幅パルスの光スペクトルの調整は、前記シードパルスの光スペクトルの変化を含む、
請求項４記載の制御方法。
【請求項８】
前記増幅パルスの光スペクトルの調整は、１個以上の前記シードパルスの少なくとも一部のピーク出力を調整することによって、前記シードパルスは前記光増幅器中に誘導されたラマン散乱を生成するようになっていることを含む、
請求項４記載の制御方法。
【請求項９】
前記増幅パルスの光スペクトルの調整は、波長変換器に結合された第１放射と第２放射の比率の調整を含み、
前記第１放射は、前記波長変換器のスペクトル許容帯域幅内にある第１波長によって特徴付けられ、
前記第２放射は、前記波長変換器のスペクトル許容帯域幅外にある第２波長によって特徴付けられる、
請求項４記載の制御方法。
【請求項１０】
前記第２放射は、所定波長範囲内にあって、
前記第２放射は、前記シードパルスを増幅するために使用される前記光増幅器によって増幅される、
請求項９記載の制御方法。
【請求項１１】
１個以上の前記シードパルスを生成することは、前記第１波長と前記第２波長の電磁放射を包含する前記シードパルスの生成を含む、
請求項９記載の制御方法。
【請求項１２】
前記増幅パルスの偏光の調整は、前記光増幅器と波長変換器との間に光学的結合された調節可能な複屈折素子を使用することを含む、
請求項４記載の制御方法。
【請求項１３】
前記制御方法は更に、前記シードパルスを増幅するために使用される前記光増幅器内で誘導されるブリルアン散乱を避けるために前記シードパルスをチャーピングすることを含む、
請求項１記載の制御方法。
【請求項１４】
１個以上のパルスの生成は、前記増幅パルスの波長変換に使用される波長変換器のスペクトル帯域よりも広いスペクトル帯域によって特徴付けられた１個以上の前記シードパルスを生成することを含む、
請求項１記載の制御方法。
【請求項１５】
前記増幅パルスの波長変換は、第２次高調波発生、第３次高調波発生、第４次高調波発生、および更に高次の高調波発生、およびこれらと前記シードパルスの周波数との間の和周波発生、差周波発生、および１個以上の高調波発生と光パラメトリック発振発生のうちの少なくとも１つから選択された非線形相互作用を含む、
請求項１記載の制御方法。
【請求項１６】
前記増幅パルスの波長変換は、ラマン散乱、ブルリアン散乱、および自己位相調整のうちの少なくとも１つから選択された非線形相互作用を含む、
請求項１記載の制御方法。
【請求項１７】
前記制御方法は更に、波長変換パルスの出力を監視することによって、フィードバック信号を生成することを含み、
波長変換平均出力の制御は、前記フィードバック信号に応答することによって波長変換出力を調整することを含む、
請求項１記載の制御方法。
【請求項１８】
更に前記制御方法は、波長変換パルスの少なくとも一部をターゲットに結合させて前記ターゲットからフィードバック信号を検出することを含み、
波長変換平均出力の制御は、前記フィードバック信号に応答することによって波長変換出力を調整することを含む、
請求項１記載の制御方法。
【請求項１９】
１個以上の前記シードパルスの生成は、増幅自然放出光源によって１個以上の前記シードパルスを生成することを含む、
請求項１記載の制御方法。
【請求項２０】
波長変換システムであって、前記波長変換システムは、
シード源と；
前記シード源に光学的結合された光増幅器と；
前記光増幅器に光学的結合された波長変換器と；
前記シード源、前記光増幅器、および前記波長変換器のうちの少なくとも１個に光学的結合した制御装置と
を含み、
前記制御装置は、前記光増幅器からの１個以上の増幅パルスのパルス周期と比較可能な時間スケールとしての周期スケールにわたって１個以上の前記増幅パルスの平均出力を調整することなく、前記周期スケールにわたって前記波長変換器の出力の波長変換平均出力を制御するように構成された論理を含む、波長変換システム。
【請求項２１】
前記論理は、
前記光増幅器によって生成された１個以上の前記増幅パルスのピーク出力を調整することと、
前記増幅パルスの光スペクトルを調整することと、および
前記増幅パルスの偏光を調整することと
のうちの少なくとも１つを行なうように構成される、
請求項２０記載の波長変換システム。
【請求項２２】
前記論理は、負荷サイクルと；
前記シード源によって生成されることによって前記光増幅器に入力される１個以上のシードパルスのパルス繰返周波数と
のうちの少なくとも一方を調整するように構成される、
請求項２０記載の波長変換システム。
【請求項２３】
前記論理は、前記シードパルスの一定の平均出力を維持するように構成される、
請求項２２記載の波長変換システム。
【請求項２４】
前記論理は、シードパルスの光スペクトルを調整するように構成される、
請求項２０記載の波長変換システム。
【請求項２５】
前記論理は、１個以上のシードパルスの少なくとも一部のピーク出力を調整することによって、シードパルスは誘導されたラマン散乱を生成するように構成される、
請求項２０記載の波長変換システム。
【請求項２６】
前記論理は、前記波長変換器に結合された第１放射と第２放射の比率を調整するように構成され、
前記第１放射は、前記波長変換器のスペクトル帯域幅内にある第１波長によって特徴付けられ、
前記第２放射は、前記波長変換器のスペクトル許容帯域幅外にある第２波長によって特徴付けられる、
請求項２０記載の波長変換システム。
【請求項２７】
前記第２放射は、所定波長範囲内にあって、
前記第２放射は、前記光増幅器によって増幅されるようになっている、
請求項２６記載の波長変換システム。
【請求項２８】
前記シード源は、
前記第１放射を生成するように構成された第１放射源と；
前記第２放射を生成するように構成された第２放射源と；
第１シード放射および第２シード放射に光学的結合された波長マルチプレクサと
を含む、
請求項２６記載の波長変換システム。
【請求項２９】
前記論理は、前記第１放射源と前記第２放射源のうちの少なくとも一方に光学的結合され、
前記論理と前記制御回路のうちの少なくとも一方は、前記マルチプレクサに結合された前記第１放射と前記第２放射の量の比率を制御するように構成される、
請求項２８記載の波長変換システム。
【請求項３０】
前記第２放射は、所定波長範囲内にあって、前記第２放射は、前記光増幅器によって増幅されるようになっている、
請求項２９記載の波長変換システム。
【請求項３１】
前記波長変換システムは更に、複屈折素子を含み、
前記複屈折素子は、前記光増幅器と前記波長変換器との間に光学的結合され、且つ調節可能である、
請求項２０記載の波長変換システム。
【請求項３２】
前記論理は、調節可能な複屈折素子に結合され、
前記論理と回路のうちの少なくとも一方は、調節可能な複屈折素子によって伝送される偏光を調整するように構成される、
請求項３１記載の波長変換システム。
【請求項３３】
前記波長変換システムは更に、出力モニタとフィードバックループを含み、
前記出力モニタは、前記波長変換器の出力の少なくとも一部を受取り、前記出力部分に応答することによってフィードバック信号を生成するように構成され、
前記フィードバックループは、前記出力モニタと前記制御装置との間に結合され、
前記論理は、前記フィードバック信号に応答することによって波長変換平均出力を調整するように構成される、
請求項２０記載の波長変換システム。
【請求項３４】
前記波長変換システムは更に、フィードバックセンサとフィードバックループを備え、
前記フィードバックセンサは、前記波長変換器の出力の少なくとも一部とターゲットとの相互作用に応答することによって、フィードバック信号を生成するように構成され、
前記フィードバックループは、前記フィードバックセンサと制御装置との間に結合され、
前記論理は、前記フィードバック信号に応答することによって波長変換平均出力を調整するように構成される、
請求項２０記載の波長変換システム。
【請求項３５】
前記シード源は、増幅自然放出光源である、
請求項２０記載の波長変換システム。
【請求項３６】
波長変換パルスエネルギの制御方法であって、前記制御方法は、
１個以上のシードパルスを生成することと；
前記シードパルスを光増幅器によって増幅することによって、１個以上の増幅パルスを生成することと；
前記増幅パルスを波長変換することによって、１個以上の波長変換パルスを生成することと；
前記増幅パルスのパルスエネルギを変化させることなく波長変換効率を調整することによって、１個以上の波長変換パルスの波長変換パルスエネルギを制御することと
を含む、制御方法。
【請求項３７】
１個以上の前記シードパルスの生成は、シード源が増幅自然放出光源によって１個以上の前記シードパルスを生成することを含む、
請求項３６記載の制御方法。
【請求項３８】
波長変換光システムであって、前記波長変換光システムは、
シード源と；
前記シード源に光学的結合された光増幅器と；
前記光増幅器に光学的結合された波長変換器と；
前記シード源、前記光増幅器、および前記波長変換器のうちの少なくとも１個に光学的結合した制御装置と
を含み、
前記制御装置は、前記光増幅器から出る前記増幅パルスのパルスエネルギを変化させることなく、波長変換効率を調整することによって前記波長変換器の波長変換出力のパルスエネルギを制御するように構成された論理を含む、波長変換光システム。
【請求項３９】
前記シード源は、増幅自然放出光源である、
請求項３８記載の波長変換光システム。
【請求項４０】
前記前記フィードバック信号に応答して前記波長変換出力を調整することは、波長変換器の波長変換出力を変更すべく前記フィードバック信号に応答してシード源を調整することを含み、
前記波長変換器は、所望の波長変換平均出力を生成するかあるいは前記波長変換パルスのパルスエネルギを生成するように前記振幅パルスを変換する、
請求項１８記載の制御方法。
【請求項４１】
前記制御装置は、前記フィードバック信号に応答して前記波長変換器の波長変換効率を変更すべく、前記フィードバックループにおいて前記シード源に結合される、
請求項３３記載の波長変換システム。
【請求項４２】
前記波長変換平均出力を制御することは、制御装置からの信号に応答して１個以上の前記シードパルスを生成するために用いられるシード源を調整することを含む、
請求項１記載の制御方法。
【請求項４３】
前記論理は、前記波長変換器の出力の前記波長変換平均出力を制御すべく前記シード源を調整するように構成される、
請求項２０記載の波長変換システム。
【請求項４４】
前記シード源は、パルスの間欠バーストの形式でシードパルスを生成するように構成される、
請求項３８記載の波長変換光システム。
【請求項４５】
前記論理は、ｐｕｌｓｅ−ｔｏ−ｐｕｌｓｅベースでパルス周期を制御するように構成される、
請求項３８記載の波長変換光システム。
【請求項４６】
前記シード源からのシード放射のパルス波形は、前記光増幅器内で生じ得るパルスの歪を補償するために事前に変形される、
請求項３８記載の波長変換光システム。